(57)【要約】    【課題】子機のカメラにて撮像された画像の録画処理機能と子機マイクに入力された音声の録音処理機能とを当該子機に備えることにより、親機の構成の簡素化を図る。    【解決手段】カメラ１０１を有するドアホン子機１ａ、モニタ２０３を有するインターホン親機２およびモニタ３０３を有する増設インターホン親機３のうち、カメラにて撮像された画像の録画処理機能として、圧縮回路１０７、画像蓄積メモリ１０８、伸張回路１０９、Ｄ／Ａ変換回路１１０を当該ドアホン子機のみに備えるとともに、子機マイク１０５に入力された音声の録音処理機能として、音声蓄積メモリ１１２を当該ドアホン子機のみに備える。  【選択図】図２
2007060499.tif 000002
【特許請求の範囲】
【請求項１】
屋外に設置されたカメラ（１０１）を有するドアホン子機（１）と、室内に設置され、前記ドアホン子機のカメラにて撮像された画像を出画し、前記ドアホン子機との間で通話を成立させることができるモニタ（２０３）を有するインターホン親機（２）およびモニタ（３０３）を有する増設インターホン親機（３）とを備え、
前記ドアホン子機は、前記カメラにて撮像された画像のデジタル信号を圧縮するための圧縮回路（１０７）と、前記圧縮された画像を録画／保存するための画像蓄積メモリ（１０８）と、前記インターホン親機および前記増設インターホン親機のうち一方の操作により前記画像蓄積メモリに録画／保存された圧縮画像を伸張するための伸張回路（１０９）と、前記伸張された画像のデジタル信号をアナログ信号にＤ／Ａ変換して再生するためのＤ／Ａ変換回路（１１０）とを有することを特徴とするインターホンシステム。
【請求項２】
屋外に設置されたカメラ（１０１）を有するドアホン子機（１）と、室内に設置され、前記ドアホン子機のカメラにて撮像された画像を出画し、前記ドアホン子機との間で通話を成立させることができるモニタ（２０３）を有するインターホン親機（２）とを備え、
前記ドアホン子機は、前記カメラにて撮像された画像のデジタル信号を圧縮するための圧縮回路（１０７）と、前記圧縮された画像を録画／保存するための画像蓄積メモリ（１０８）と、前記インターホン親機の操作により前記画像蓄積メモリに録画／保存された圧縮画像を伸張するための伸張回路（１０９）と、前記伸張された画像のデジタル信号をアナログ信号に変換して再生するためのＤ／Ａ変換回路（１１０）と、前記ドアホン子機のカメラにて撮像された画像を直接出画するときには前記カメラおよび前記Ｄ／Ａ変換回路の間を接続し、前記録画／保存された画像を出画するときには前記伸張回路および前記Ｄ／Ａ変換回路の間を接続するための切替スイッチ（１１４）と、前記インターホン親機からの制御信号で前記切替スイッチを切替制御するための子機ＣＰＵ（１０４）とを備えることを特徴とするインターホンシステム。
【請求項３】
屋内に設置され、前記ドアホン子機のカメラにて撮像された画像を出画し、前記ドアホン子機との間で通話を成立させることができるモニタ（３０３）を有する増設インターホン親機（３）を備え、前記増設インターホン親機の操作により前記録画／保存された画像を出画することを特徴とする請求項２記載のインターホンシステム。
【請求項４】
前記ドアホン子機は、子機マイク（１０２）からの音声信号を録音／保存し、前記インターホン親機および前記増設インターホン親機のうち一方の操作により前記録画／保存された画像の再生とともに音声信号を再生するための音声蓄積メモリ（１１２）を備えることを特徴とする請求項１乃至請求項３のうち何れか１項記載のインターホンシステム。
【請求項５】
前記ドアホン子機は、前記インターホン親機および前記増設インターホン親機のうち一方からの制御信号で前記音声蓄積メモリに予め録音／保存させたメッセージを子機スピーカ（１０３）から出力するための制御を行う子機ＣＰＵ（１０４）を備えることを特徴とする請求項４記載のインターホンシステム。
【発明の詳細な説明】
【技術分野】
【０００１】
本発明はインターホンシステムに係り、特に、ドアホン子機のカメラにて撮像された画像の録画／再生機能および当該ドアホン子機のマイクに入力された音声の録音／再生機能を有するインターホンシステムに関する。
【背景技術】
【０００２】
従来から、この種のインターホンシステムとして、例えば、撮像装置として機能するカメラ付きのドアホン子器（ドアホン子機と同意。）、センサカメラ、監視カメラにてそれぞれ撮像された映像であり、信号処理されたデジタルの映像信号を録画するとともに、カメラ付きのドアホン子器、カメラ無しのドアホン子機に入力された音声であり、信号処理されたデジタルの音声信号を録音する録画および録音の機能と各種データの記憶のためにフラッシュＲＯＭが設けられた親機を有する住宅用監視システムが開示されている（例えば、特許文献１を参照。）。
【０００３】
【特許文献１】特開２００４−１３５２０２号公報（段落番号「０００９」〜「００１５」、第１図および第２図）
【発明の開示】
【発明が解決しようとする課題】
【０００４】
背景技術に記載した特許文献１の住宅用監視システムにおいて、親機は、フラッシュＲＯＭのみならず、映像の出画機能および当該映像の信号処理機能、ドアホン子器との通話や副親機との通話を行うための通話機能および当該通話の制御機能等を実現するため、多くの構成各部／回路／装置（特許文献１の第２図を参照。）が必要であり、その構成に煩雑さを有していた。
【０００５】
本発明は、この難点を解消するためになされたもので、子機のカメラにて撮像された画像の録画処理機能と子機マイクに入力された音声の録音処理機能とを当該子機に備えることにより、親機の構成の簡素化が図られたインターホンシステムを提供することを目的としている。
【課題を解決するための手段】
【０００６】
前述の目的を達成するため、本発明の第１の態様であるインターホンシステムは、屋外に設置されたカメラを有するドアホン子機と、屋内に設置され、ドアホン子機のカメラにて撮像された画像を出画し、ドアホン子機との間で通話を成立させることができるモニタを有するインターホン親機およびモニタを有する増設インターホン親機とを備えたものである。ドアホン子機は、カメラにて撮像された画像のデジタル信号を圧縮するための圧縮回路と、圧縮された画像を録画／保存するための画像蓄積メモリと、インターホン親機および増設インターホン親機のうち一方の操作により画像蓄積メモリに録画／保存された圧縮画像を伸張するための伸張回路と、伸張された画像のデジタル信号をアナログ信号にＤ／Ａ変換して再生するためのＤ／Ａ変換回路とを有するものである。
【０００７】
また、本発明の第２の態様であるインターホンシステムは、屋外に設置されたカメラを有するドアホン子機と、屋内に設置され、ドアホン子機のカメラにて撮像された画像を出画し、ドアホン子機との間で通話を成立させることができるモニタを有するインターホン親機とを備えたものである。ドアホン子機は、カメラにて撮像された画像のデジタル信号を圧縮するための圧縮回路と、圧縮された画像を録画／保存するための画像蓄積メモリと、インターホン親機の操作により画像蓄積メモリに録画／保存された圧縮画像を伸張するための伸張回路と、伸張された画像のデジタル信号をアナログ信号に変換して再生するためのＤ／Ａ変換回路と、ドアホン子機のカメラにて撮像された画像を直接出画するときにはカメラおよびＤ／Ａ変換回路の間を接続し、録画／保存された画像を出画するときには伸張回路およびＤ／Ａ変換回路の間を接続するための切替スイッチと、インターホン親機からの制御信号で切替スイッチを切替制御するための子機ＣＰＵとを備えたものである。
【０００８】
また、本発明の第３の態様であるインターホンシステムは、本発明の第２の態様において、屋内に設置され、ドアホン子機のカメラにて撮像された画像を出画し、ドアホン子機との間で通話を成立させることができるモニタを有する増設インターホン親機を備えたものであり、増設インターホン親機の操作により録画／保存された画像を出画することができる。
【０００９】
また、本発明の第４の態様であるインターホンシステムは、本発明の第１の態様乃至第３の態様において、ドアホン子機は、子機マイクからの音声信号を録音／保存し、インターホン親機および増設インターホン親機のうち一方の操作により録画／保存された画像の再生とともに音声信号を再生するための音声蓄積メモリを備えたものである。
【００１０】
また、本発明の第５の態様であるインターホンシステムは、本発明の第４に態様において、ドアホン子機は、インターホン親機および増設インターホン親機のうち一方からの制御信号で音声蓄積メモリに予め記憶させたメッセージを子機スピーカから出力するための制御を行う子機ＣＰＵを備えたものである。
【発明の効果】
【００１１】
本発明のインターホンシステムによれば、カメラを有するドアホン子機、モニタを有するインターホン親機およびモニタを有する増設インターホン親機のうち、カメラにて撮像された画像の録画処理機能として、圧縮回路、画像蓄積メモリ、伸張回路、Ｄ／Ａ変換回路が当該ドアホン子機のみに備えられ、また、子機マイクに入力された音声の録音処理機能としての音声蓄積メモリについても当該ドアホン子機のみに備えられることから、インターホン親機および増設インターホン親機の構成を簡素化できる。
【００１２】
また、本発明のインターホンシステムによれば、ドアホン子機のカメラにて撮像された画像の録画処理機能として、圧縮回路、画像蓄積メモリ、伸張回路、Ｄ／Ａ変換回路を当該ドアホン子機のみに備えるにあたり、子機ＣＰＵにより切替スイッチを切替制御することにより、カメラにて撮像された画像をインターホン親機のモニタおよび／または増設インターホン親機のモニタに直接出画する場合には、カメラからＤ／Ａ変換回路への信号伝送路が形成される一方、伸張回路からＤ／Ａ変換回路への信号伝送路は遮断されることから、直接出画時において不要とされる構成各部／回路の動作を停止させることができる。さらに、インターホン親機および増設インターホン親機のうち一方の当該親機の操作により画像蓄積メモリに録画／保存された画像を出画する場合には、伸張回路からＤ／Ａ変換回路への信号伝送路が形成される一方、カメラからＤ／Ａ変換回路への信号伝送路は遮断されることから、録画画像の出画において不要とされる構成各部／回路の動作を停止させることができる。
【００１３】
さらに、本発明のインターホンシステムによれば、ドアホン子機の子機マイクに入力された音声の録音処理機能として備えられる音声蓄積メモリに録音／保存された当該音声を、インターホン親機および増設インターホン親機のうち一方の当該親機の操作により読み出して当該親機側で再生することができるばかりでなく、この音声蓄積メモリには、子機スピーカから再生させるためのメッセージ、例えば、威嚇のための警報メッセージを記憶することができる。
【発明を実施するための最良の形態】
【００１４】
以下、本発明のインターホンシステムを実施するための最良の形態例について、図面を参照して説明する。
【００１５】
図１は、本発明を実施するための最良の一形態である第１、第２の各実施例によるインターホンシステムの全体構成（外観構成）を示すシステム説明図である。
【００１６】
図１に示すインターホンシステムは、玄関や門扉等の屋外に設置され、来訪者が屋内（住戸内と同意。）に在室中の居住者を呼び出して通話を成立させるためのドアホン子機１ａ、１ｂと、住戸内に設置され、子機／親機ラインＬ1を経由して接続されたドアホン子機１ａ、１ｂからの呼び出しが報知され、この呼び出しを確認した居住者が来訪者との間で通話を成立させるためのインターホン親機２と、屋内においてインターホン親機２とは異なる場所に設置され、親機／増設ラインＬ2、インターホン親機２、子機／親機ラインＬ1を経由して接続されたドアホン子機１ａ、１ｂからの呼び出しが報知され、この呼び出しを確認した居住者が来訪者との間で通話を成立させるための増設インターホン親機、ここでは、１台の増設インターホン親機３とが備えられている。なお、ドアホン子機１ａは第１の実施例、ドアホン子機１ｂは第２の実施例にそれぞれ適用される当該ドアホン子機である。また、増設インターホン親機３の台数は、１台に限定されるものではなく、親機／増設ラインＬ2を経由してインターホン親機２に順次、複数台接続することができる。
【００１７】
ドアホン子機１ａ、１ｂは、呼出ボタン１００、カメラ１０１、マイク（以下、子機マイクという。）１０２およびスピーカ（以下、子機スピーカという。）１０３を有している。
【００１８】
このドアホン子機１ａ、１ｂにおいて、呼出ボタン１００は、来訪者が居住者を呼び出すために操作するものである。
【００１９】
また、カメラ１０１は、呼出操作を行った来訪者や屋外の周囲近傍の画像を撮像するためのものであり、例えば、ＣＣＤ（Charge Coupled Device）、ＣＭＯＳ（Complementary Metal Oxide Semiconductor）等の撮像素子が好適とされる。
【００２０】
さらに、子機マイク１０２および子機スピーカ１０３は、来訪者が居住者との間で通話を成立させるために音声（送話音声、受話音声）を入出力するものである。なお、子機スピーカ１０３は、後述する音声蓄積メモリ１１２に予め記憶されたメッセージを出力（再生）する機能も有している。
【００２１】
インターホン親機２および増設インターホン親機３はそれぞれ同様な外観構成で商用電源（ＡＣ１００Ｖ）に接続されており、スピーカ（以下、親機スピーカ、増設スピーカという。）２００、３００、マイク（以下、親機マイク、増設スピーカという。）２０１、３０１、通話ボタン（以下、親機通話ボタン、増設通話ボタンという。）２０２、３０２、モニタ（以下、親機モニタ、増設モニタという。）２０３、３０３、録画／録音ボタン（以下、親機録画／録音ボタン、増設録画／録音ボタンという。）２０４、３０４、再生ボタン（以下、親機再生ボタン、増設再生ボタンという。）２０５、３０５を有している。
【００２２】
このインターホン親機２および増設インターホン親機３において、親機スピーカ２００および増設スピーカ３００は、ドアホン子機１ａ、１ｂからの呼び出し、すなわち、来訪者による呼び出しがある旨の呼出音（音声メッセージを含む。）を出力するとともに、居住者が通話を成立させるにあたり来訪者の音声（受話音声）が出力されるものである。
【００２３】
また、親機マイク２０１および増設マイク３０１は、居住者が来訪者との間で通話を成立させるにあたり音声（送話音声）を入力するものである。
【００２４】
また、親機通話ボタン２０２および増設通話ボタン３０２は、来訪者からの呼び出しに居住者が応答して通話を成立させるための操作および成立中の通話を居住者が終了するための終話操作が行われるものである。
【００２５】
また、親機モニタ２０３および増設モニタ３０３は、ドアホン子機１ａ、１ｂのカメラ１０１にて撮像された画像を出画するためのものであり、例えば、ＬＣＤ（Liquid Crystal Display）、有機ＥＬ（Electro Luminescence）ディスプレイ等が好適とされる。
【００２６】
また、親機録画／録音ボタン２０４および増設録画／録音ボタン３０４は、ドアホン子機１ａ、１ｂのカメラ１０１にて撮像された画像を、圧縮した画像のデジタル信号として当該ドアホン子機の後述する画像蓄積メモリ１０８に録画／保存するとともに、ドアホン子機１ａ、１ｂの子機マイク１０２に入力された音声を、デジタル信号として当該ドアホン子機の後述する音声蓄積メモリ１１２に録音／保存するために操作されるものである。
【００２７】
さらに、親機再生ボタン２０５および増設再生ボタン３０５は、ドアホン子機１ａ、１ｂの後述する画像蓄積メモリ１０８に録画／保存された画像であるデジタル信号を読み出して親機モニタ２０３および増設モニタ３０３に出画（再生）するとともに、ドアホン子機１ａ、１ｂの後述する音声蓄積メモリ１１２に録音／保存された音声であるデジタル信号を読み出して親機スピーカ２００および増設スピーカ３００から出力（再生）するために操作されるものである。
【００２８】
図２は、本発明の第１の実施例によるインターホンシステムの具体的な構成を示すブロック図である。
【００２９】
ドアホン子機１ａは、前述の呼出ボタン１００、カメラ１０１、子機マイク１０２および子機スピーカ１０３と、ＣＰＵ（以下、子機ＣＰＵという。）１０４と、電源回路（以下、子機電源回路という。）１０５と、通話回路（以下、子機通話回路という。）１０６と、圧縮回路１０７と、画像蓄積メモリ１０８と、伸張回路１０９と、Ｄ／Ａ（デジタル／アナログ）変換回路１１０と、変調回路１１１と、音声蓄積メモリ１１２と、インターフェース回路（以下、子機Ｉ／Ｆという。）１１３とが備えられている。
【００３０】
このドアホン子機１ａにおいて、子機ＣＰＵ１０４は、呼出ボタン１００の操作を検出して呼出信号を生成するとともに、当該ドアホン子機の構成各部／回路を制御するためのものである。
【００３１】
また、子機電源回路１０５は、インターホン親機２の後述する電源回路２０７からの電源供給を受電し、当該ドアホン子機の構成各部／回路へと動作電源を供給するためのものである。
【００３２】
また、子機通話回路１０６は、子機マイク１０２および子機スピーカ１０３に入出力される音声（送話音声、受話音声）であり信号処理された音声信号について、４線／２線変換や２線／４線変換、増幅等を行い、信号伝送路（通話路）を形成するためのものである。
【００３３】
また、圧縮回路１０７は、カメラ１０１にて撮像された画像のデジタル信号を圧縮するためのものである。
【００３４】
また、画像蓄積メモリ１０８は、圧縮回路１０７を経由して圧縮されたデジタル信号を録画／保存するためのものであり、例えば、フラッシュメモリ、ＥＥＰＲＯＭ（Electrically Erasable Programmable Read Only Memory）等の不揮発性メモリが好適とされる。
【００３５】
また、伸張回路１０９は、インターホン親機２の親機再生ボタン２０５および増設インターホン親機３の増設再生ボタン３０５のうち一方の当該再生ボタンの操作を検出した子機ＣＰＵ１０４の制御により画像蓄積メモリ１０８から読み出されるデジタル信号を伸張するためのものである。
【００３６】
また、Ｄ／Ａ変換回路１１０は、伸張回路１０９を経由して伸張されたデジタル信号をアナログ信号にＤ／Ａ変換するためのものである。
【００３７】
また、変調回路１１１は、Ｄ／Ａ変換回路１１０を経由してＤ／Ａ変換されたアナログ信号をＦＭ変調（周波数変調）するためのものである。
【００３８】
また、音声蓄積メモリ１１２は、子機マイク１０２に入力された音声（送話音声）であり子機通話回路１０６を経由して信号処理された音声信号を録音／保存するとともに、子機スピーカ１０３から出力（再生）させる警報メッセージ等の各種メッセージが予め記憶されている。この音声蓄積メモリ１１２としては、例えば、フラッシュメモリ、ＥＥＰＲＯＭ等の不揮発性メモリが好適とされる。
【００３９】
さらに、子機Ｉ／Ｆ１１３は、子機ＣＰＵ１０４および子機／親機ラインＬ1の間の双方向の信号伝送路、子機／親機ラインＬ1から子機電源回路１０５への電源供給路、子機通話回路１０６および子機／親機ラインＬ1の間の双方向の信号伝送路（通話路）、変調回路１１１から子機／親機ラインＬ1への信号伝送路をそれぞれ形成するためのものである。
【００４０】
インターホン親機２は、前述の親機スピーカ２００、親機マイク２０１、親機通話ボタン２０２、親機モニタ２０３、親機録画／録音ボタン２０４および親機再生ボタン２０５と、ＣＰＵ（以下、親機ＣＰＵという。）２０６と、電源回路（以下、親機電源回路という。）２０７と、通話回路（以下、親機通話回路という。）２０８と、復調回路（以下、親機復調回路という。）２０９と、インターフェース回路（以下、親機Ｉ／Ｆという。）２１０とが備えられている。
【００４１】
このインターホン親機２において、親機ＣＰＵ２０６は、当該インターホン親機の構成各部／回路を制御するためのものである。
【００４２】
また、親機電源回路２０７は、商用電源（ＡＣ１００Ｖ）について整流／平滑させた直流電源を生成し、この直流電源を当該インターホン親機の構成各部／回路へと供給するとともに、ドアホン子機１ａ（１ｂ）の子機電源回路１０５へと供給するためのものである。
【００４３】
また、親機通話回路２０８は、親機マイク２０１および親機スピーカ２００にて入出力される音声（送話音声、受話音声）であり信号処理された音声信号について、４線／２線変換や２線／４線変換、増幅等を行い、信号伝送路（通話路）を形成するためのものである。
【００４４】
また、親機復調回路２０９は、ドアホン子機１ａ（１ｂ）のカメラ１０１にて撮像された画像であり、変調回路１１１を経由してＦＭ変調されたアナログ信号を復調して親機モニタ２０３に出画するためのものである。
【００４５】
さらに、親機Ｉ／Ｆ２１０は、子機／親機ラインＬ1および親機／増設ラインＬ2の間の双方向の信号伝送路、親機ＣＰＵ２０６および子機／親機ラインＬ1の間の双方向の信号伝送路、親機電源回路２０７から子機／親機ラインＬ1への電源供給路、親機通話回路２０８および子機／親機ラインＬ1の間の双方向の信号伝送路（通話路）、子機／親機ラインＬ1から親機復調回路２０９への信号伝送路をそれぞれ形成するためのものである。
【００４６】
増設インターホン親機３は、前述の増設スピーカ３００、増設マイク３０１、増設通話ボタン３０２、増設モニタ３０３、増設録画／録音ボタン３０４および増設再生ボタン３０５と、ＣＰＵ（以下、増設ＣＰＵという。）３０６と、電源回路（以下、増設電源回路という。）３０７と、通話回路（以下、増設通話回路という。）３０８と、復調回路（以下、増設復調回路という。）３０９と、インターフェース回路（以下、増設Ｉ／Ｆという。）３１０とが備えられている。
【００４７】
この増設インターホン親機３において、増設ＣＰＵ３０６は、当該増設インターホン親機の構成各部／回路を制御するためのものである。
【００４８】
また、増設電源回路３０７は、商用電源（ＡＣ１００Ｖ）について整流／平滑させた直流電源を生成し、この直流電源を当該増設インターホン親機の構成各部／回路へと供給するためのものである。
【００４９】
また、増設通話回路３０８は、増設マイク３０１および増設スピーカ３００にて入出力される音声（送話音声、受話音声）であり信号処理された音声信号について、４線／２線変換や２線／４線変換、増幅等を行い、信号伝送路（通話路）を形成するためのものである。
【００５０】
また、増設復調回路３０９は、ドアホン子機１ａ（１ｂ）のカメラ１０１にて撮像された画像であり、変調回路１１１を経由してＦＭ変調されたアナログ信号を復調して増設モニタ３０３に出画するためのものである。
【００５１】
さらに、増設Ｉ／Ｆ３１０は、増設ＣＰＵ３０６および親機／増設ラインＬ2の間の双方向の信号伝送路、増設通話回路３０８および親機／増設ラインＬ2の間の双方向の信号伝送路（通話路）、親機／増設ラインＬ2から増設復調回路３０９への信号伝送路をそれぞれ形成するためのものである。
【００５２】
このように構成された本発明の第１の実施例によるインターホンシステムにおいて、以下、具体的な動作について説明する。
【００５３】
当該インターホンシステムが待受状態、すなわち、屋外に居る来訪者からの呼び出しがなく通話も成立していない状態において、図２に示すインターホン親機２の親機電源回路２０７にて生成された直流電源は、当該インターホン親機の構成各部／回路へと待受用の所定の電圧レベルで供給されるとともに、親機Ｉ／Ｆ２１０、子機／親機ラインＬ1を経由してドアホン子機１ａの子機電源回路１０５へと供給され、この子機電源回路１０５からの電源供給により当該ドアホン子機の待受用の動作電源となる。また、同様な待受状態において、増設インターホン親機３の増設電源回路３０７にて生成された直流電源は、当該増設インターホン親機の構成各部／回路へと待受用の所定の電圧レベルで供給される。
【００５４】
次に、前述のような待受状態において、来訪者が居住者を呼び出すために、図１に示すドアホン子機１ａの呼出ボタン１００を操作すると、この操作を検出した図２に示す（ドアホン子機１ａの）子機ＣＰＵ１０４は呼出信号を生成する。この呼出信号は、子機ＣＰＵ１０４から子機Ｉ／Ｆ１１３、子機／親機ラインＬ1を経由してインターホン親機２の親機Ｉ／Ｆ２１０へと伝送される。また、親機Ｉ／Ｆ２１０にて受信された呼出信号は、親機ＣＰＵ２０６へと転送されるとともに、親機／増設ラインＬ2、増設インターホン親機３の増設Ｉ／Ｆ３１０を経由して増設ＣＰＵ３０６へと転送される。
【００５５】
インターホン親機２の親機ＣＰＵ２０６は、ドアホン子機１ａの子機ＣＰＵ１０４からの呼出信号をもとに来訪者による呼び出しがあることを検出し、その旨の呼出音（音声メッセージを含む。）を親機スピーカ２００から出力させるとともに、待受状態より継続してドアホン子機１ａの構成各部／回路へと供給している親機電源回路２０７からの給電が、待受時よりも高い電圧レベルでドアホン子機１ａに電源供給されるように当該親機電源回路を制御し、さらに、親機モニタ２０３および親機復調回路２０９がそれぞれ能動となるように制御する。
【００５６】
増設インターホン親機３の増設ＣＰＵ３０６は、ドアホン子機１ａの子機ＣＰＵ１０４からの呼出信号をもとに来訪者による呼び出しがあることを検出し、その旨の呼出音（音声メッセージを含む。）を増設スピーカ３００から出力させるとともに、増設モニタ３０３および増設復調回路３０９がそれぞれ能動となるように制御する。
【００５７】
ドアホン子機１ａの子機電源回路１０５は、インターホン親機２の親機電源回路２０７からの給電を受電し、受電された直流電源を当該ドアホン子機の動作電源として構成各部／回路へと供給することにより、カメラ１０１、圧縮回路１０７、画像蓄積メモリ１０８、Ｄ／Ａ変換回路１１０および変調回路１１１がそれぞれ能動となる。また、カメラ１０１は、呼出操作を行った来訪者や屋外の周囲近傍の画像を撮像する。この画像は、デジタル信号（以下、デジタル画像信号という。）に信号処理された後、圧縮回路１０７へと伝送される。
【００５８】
ドアホン子機１ａの圧縮回路１０７は、カメラ１０１からのデジタル画像信号を圧縮した後、画像蓄積メモリ１０８へと一時的に録画／保存させる。また、伸張回路１０９は、画像蓄積メモリ１０８へと一時的に録画／保存されたデジタル画像信号を伸張した後、Ｄ／Ａ変換回路１１０に出力する。さらに、Ｄ／Ａ変換回路１１０は、伸張回路１０９を経由して伸張されたデジタル画像信号をＤ／Ａ変換した後、変調回路１１１に出力する。
【００５９】
ドアホン子機１ａの変調回路１１１は、Ｄ／Ａ変換回路１１０を経由してＤ／Ａ変換されたアナログ画像信号をアナログ画像変調信号にＦＭ変調する。このアナログ画像変調信号は、変調回路１１１から子機Ｉ／Ｆ１１３、子機／親機ラインＬ1を経由してインターホン親機２の親機Ｉ／Ｆ２１０へと伝送される。また、親機Ｉ／Ｆ２１０にて受信されたアナログ画像変調信号は、親機復調回路２０９へと転送されるとともに、親機／増設ラインＬ2、増設インターホン親機３の増設Ｉ／Ｆ３１０を経由して増設復調回路３０９へと転送される。
【００６０】
インターホン親機２の親機復調回路２０９は、ドアホン子機１ａの変調回路１１１からのアナログ画像変調信号を復調して親機モニタ２０３に出力することにより、ドアホン子機１ａのカメラ１０１にて撮像された画像、すなわち、呼出操作を行った来訪者や屋外の周囲近傍の画像を親機モニタ２０３に（リアルタイムで）出画させることができる。
【００６１】
また、増設インターホン親機３の増設復調回路３０９は、ドアホン子機１ａの変調回路１１１からのアナログ画像変調信号を復調して増設モニタ３０３に出力することにより、ドアホン子機１ａのカメラ１０１にて撮像された画像、すなわち、呼出操作を行った来訪者や玄関先の周囲近傍の画像を増設モニタ３０３に（リアルタイムで）出画させることができる。
【００６２】
なお、インターホン親機の親機モニタ２０３および増設インターホン親機３の増設モニタ３０３には、親機ＣＰＵ２０６および増設ＣＰＵ３０６の制御により、来訪者からの呼び出しがある旨の文字メッセージや絵データ等をそれぞれ表示させることもできる。
【００６３】
次に、インターホン親機２および増設インターホン親機３のうち（少なくとも）何れか一方の当該スピーカからの出力と当該モニタの出画をもとに、来訪者からの呼び出しがあることを当該来訪者の識別と併せて確認した居住者が、応答操作として、インターホン親機２の親機通話ボタン２０２および増設インターホン親機３の増設通話ボタン３０２のうち一方の当該通話ボタンを操作する。ここでは、親機通話ボタン２０２が操作されると、この操作を検出した親機ＣＰＵ２０６は、親機通話回路２０８を制御して親機スピーカ２００および親機マイク２０１と親機Ｉ／Ｆ２１０との間の信号伝送路（通話路）を形成するとともに応答信号を生成する。この応答信号は、親機ＣＰＵ２０６から親機Ｉ／Ｆ２１０、子機／親機ラインＬ1、ドアホン子機１ａの子機Ｉ／Ｆ１１３を経由して子機ＣＰＵ１０４へと伝送されるとともに、親機ＣＰＵ２０６から親機Ｉ／Ｆ２１０、親機／増設ラインＬ2、増設インターホン親機の増設Ｉ／Ｆ３１０を経由して増設ＣＰＵ２０６へと伝送される。
【００６４】
ドアホン子機１ａの子機ＣＰＵ１０４は、インターホン親機２の親機ＣＰＵ２０６からの応答信号を検出すると、親機スピーカ２００からの呼出音（音声メッセージを含む。）の出力を停止させるとともに、子機通話回路１０６を制御して子機マイク１０２および子機スピーカ１０３と子機Ｉ／Ｆ１１３との間の信号伝送路（通話路）を形成することにより、来訪者が使用する子機マイク１０２および子機スピーカ１０３と居住者が使用する（インターホン親機２の）親機スピーカ２００および親機マイク２０１との間で音声信号の送受信が可能となり通話が成立する。
【００６５】
増設インターホン親機３の増設ＣＰＵ３０６は、インターホン親機２の親機ＣＰＵ２０６からの応答信号を検出すると、増設親機スピーカ３００からの呼出音（音声メッセージを含む。）の出力を停止させるとともに、増設モニタ３０３および増設復調回路３０９がそれぞれ非能動となるように制御することにより、当該増設インターホン親機は待受状態に復旧される。
【００６６】
なお、前述の説明では、来訪者からの呼び出しがあることを当該来訪者の識別と併せて確認した居住者が行う応答操作として、インターホン親機２の親機通話ボタン２０２を適用したが、他方の当該通話ボタンである増設インターホン親機３の増設通話ボタン３０２が操作された場合には、来訪者が使用するドアホン子機１ａの子機マイク１０２および子機スピーカ１０３と居住者が使用する（増設インターホン親機３の）増設スピーカ３００および増設マイク３０１との間で音声信号の送受信が可能となり通話が成立することになるばかりでなく、インターホン親機２は待受状態に復旧される。
【００６７】
次に、前述の呼出報知をもとに居住者が来訪者を確認したとき、識別された来訪者が不審者や悪徳セールス等の当該居住者にとって好まれざる人物であった場合、インターホン親機２および増設インターホン親機３のうち一方の当該親機にて所定の威嚇操作（詳述せず）を行う、ここでは、インターホン親機２にて威嚇操作を行うと、この操作を検出した親機ＣＰＵ２０６は、威嚇起動のための制御信号を生成する。この制御信号は、前述の応答信号と同様な信号伝送路を経由してドアホン子機１ａの子機ＣＰＵ１０４へと伝送される。
【００６８】
ドアホン子機１ａの子機ＣＰＵ１０４は、インターホン親機２の親機ＣＰＵ２０６からの制御信号をもとに居住者により威嚇操作が行われたことを検出し、不審者や悪徳セールス等を威嚇するための警報メッセージ（警報音を含む。）を音声蓄積メモリ１１２から読み出す。この警報メッセージ（警報音を含む。）は、子機通話回路１０６を経由して子機スピーカ１０３へと伝送され、当該子機スピーカから出力（再生）されることにより、不審者や悪徳セールス等を容易に威嚇でき防犯性が高められる。
【００６９】
なお、前述の説明では、居住者による威嚇操作をインターホン親機２にて行った場合について説明したが、増設インターホン親機３において同様な威嚇操作が行われた場合には、この操作を検出した増設ＣＰＵ３０６からの制御信号を検出したドアホン子機１ａの子機ＣＰＵ１０４の制御により音声蓄積メモリ１１２から読み出された警報メッセージ（警報音を含む。）を子機スピーカ１０３から出力（再生）させることができる。
【００７０】
次に、来訪者が使用するドアホン子機１ａの子機マイク１０２および子機スピーカ１０３と居住者が使用するインターホン親機２の親機スピーカ２００および親機マイク２０１との間で通話が成立している場合において、居住者が親機録画／録音ボタン２０４を操作すると、この操作を検出した親機ＣＰＵ２０６は、ドアホン子機１ａのカメラ１０１にて継続して撮像されている画像の画像蓄積メモリ１０８への録画／保存を開始するとともに、子機マイク１０２に継続して入力されている音声（送話音声）の音声蓄積メモリ１１２への録音／保存を開始するための録画／録音起動信号を生成する。この録画／録音起動信号は、前述の応答信号および制御信号と同様な信号伝送路を経由してドアホン子機１ａの子機ＣＰＵ１０４へと伝送される。
【００７１】
ドアホン子機１ａの子機ＣＰＵ１０４は、インターホン親機２の親機ＣＰＵ２０６からの録画／録音起動信号を検出すると、圧縮回路１０７および画像蓄積メモリ１０８をそれぞれ制御し、圧縮回路１０７を経由して圧縮されたデジタル画像信号を画像蓄積メモリ１０８に録画／保存させるとともに、子機通話回路１０６を制御し、当該子機通話回路を経由して信号処理された音声信号を音声蓄積メモリ１１２に録音／保存させることができる。
【００７２】
なお、前述の説明では、居住者により行われる録画／録音操作として、ドアホン子機１ａとの間で通話が成立中であるインターホン親機２の親機録画／録音ボタン２０４を操作する場合について説明したが、この動作の態様に限定されるものではない。例えば、当該インターホンシステムが待受状態において、外出等で屋内を不在とする前に、居住者がインターホン親機２の親機録画／録音ボタン２０４および増設インターホン親機３の増設録画／録音ボタン３０４のうち何れか一方の当該録画／録音ボタンを操作すると、前述と同様な録画起動信号がドアホン子機１ａの子機ＣＰＵ１０４へと伝送される（詳述せず）。
【００７３】
ドアホン子機１ａの子機ＣＰＵ１０４は、インターホン親機２の親機ＣＰＵ２０６または増設インターホン親機３の増設ＣＰＵ３０６からの録画／録音起動信号を検出すると、圧縮回路１０７および画像蓄積メモリ１０８をそれぞれ制御し、圧縮回路１０７を経由して圧縮されたデジタル画像信号を画像蓄積メモリ１０８に録画／保存可能な状態とするとともに、子機通話回路１０６を制御し、当該子機通話回路を経由して信号処理される音声信号を音声蓄積メモリ１１２に録音／保存な状態とする。
【００７４】
前述のように録画／録音可能な設定が予め行われている状態において、来訪者が居住者を呼び出すために、ドアホン子機１ａの呼出ボタン１００を操作すると、前述の動作と同様、カメラ１０１にて撮像された画像であり、圧縮回路１０７を経由して圧縮されたデジタル画像信号を画像蓄積メモリ１０８に録画／保存させることができるばかりでなく、子機マイク１０９に入力された来訪者の音声（送話音声）であり、子機通話回路１０６を経由して信号処理されたデジタル音声信号を音声蓄積メモリ１１２に録音／保存させることができる。
【００７５】
次に、ドアホン子機１ａの画像蓄積メモリ１０８にデジタル圧縮画像信号が録画／保存されているとともに、音声蓄積メモリ１１２に音声信号が録音／保存されている場合において、居住者が行う再生操作としては、インターホン親機２の親機再生ボタン２０５および増設インターホン親機３の増設再生ボタン３０５のうち一方の当該再生ボタンを操作する。ここでは、親機再生ボタン２０５を操作すると、この操作を検出した親機ＣＰＵ２０６は、親機モニタ２０３および親機復調回路２０９をそれぞれ能動とするとともに、親機通話回路２０８を制御して親機Ｉ／Ｆ２１０から親機スピーカ２００への信号伝伝送路を形成し、さらに、再生起動信号を生成する。この再生起動信号は、前述の応答信号、制御信号および録画／録音起動信号と同様な信号伝送路を経由してドアホン子機１ａの子機ＣＰＵ１０４へと伝送される。
【００７６】
ドアホン子機１ａの子機ＣＰＵ１０４は、インターホン親機２の親機ＣＰＵ２０６からの再生起動信号を検出すると、録画画像および録画音声の再生制御を行う。具体的に録画画像の再生制御を行うにあたって、子機ＣＰＵ１０４は、画像蓄積メモリ１０８、伸張回路１０９、Ｄ／Ａ変換回路１１０および変調回路１１１がそれぞれ能動となるように制御する。また、子機ＣＰＵ１０４の制御により画像蓄積メモリ１０８から読み出されたデジタル圧縮画像信号は、前述の呼出時におけるデジタル圧縮画像信号と同様な信号処理でインターホン親機２の親機モニタ２０３へと伝送されることから、画像蓄積メモリ１０８に録画／保存されていた画像を親機モニタ２０３に出画（再生）することができる。
【００７７】
一方、具体的に録音音声の再生制御を行うにあたって、ドアホン子機１ａの子機ＣＰＵ１０４は、子機通話回路１０６および音声蓄積メモリ１１２がそれぞれ能動となるように制御する。また、子機ＣＰＵ１０４の制御により音声蓄積メモリ１１２から読み出された音声信号は、子機通話回路１０６、子機Ｉ／Ｆ１１３、子機／親機ラインＬ1、インターホン親機２の親機Ｉ／Ｆ２１０、親機通話回路２０８を経由して親機スピーカ２００へと伝送されることにより、音声蓄積メモリ１１２に録音／保存されていた音声を親機スピーカ２００から出力（再生）することができる。
【００７８】
また、前述の説明では、居住者が行う再生操作として、インターホン親機２の親機再生ボタン２０５を適用したが、他方の当該再生ボタンである増設インターホン親機３の増設再生ボタン３０５が操作された場合には、ドアホン子機１ａの画像蓄積メモリ１０８に録画／保存されていた画像を増設モニタ３０３に出画（再生）することができるばかりでなく、音声蓄積メモリ１１２に録音／保存されていた音声を増設スピーカ３００から出力（再生）することができる。
【００７９】
次に、本発明の第２の実施例によるインターホンシステムについて説明する。
【００８０】
図３は、本発明の第２の実施例によるインターホンシステムの具体的な構成を示すブロック図である。なお、図３に示すインターホン親機２および増設インターホン親機３は、前述の第１の実施例と同様な構成であり、ドアホン子機１ｂのみ構成が異なっていることから、ドアホン子機１ａの構成と異なる部分についてのみ説明する。
【００８１】
ドアホン子機１ｂは、前述の呼出ボタン１００、カメラ１０１、子機マイク１０２、子機スピーカ１０３、子機ＣＰＵ１０４、子機電源回路１０５、子機通話回路１０６、圧縮回路１０７、画像蓄積メモリ１０８、伸張回路１０９、Ｄ／Ａ変換回路１１０、変調回路１１１、音声蓄積メモリ１１２および子機Ｉ／Ｆ１１３と、切替スイッチ１１４とが備えられている。
【００８２】
このドアホン子機１ｂにおいて、切替スイッチ１１４は、カメラ１０１からＤ／Ａ変換回路１１０への信号伝送路を形成する場合、伸張回路１０９からＤ／Ａ変換回路１１０への信号伝送路を遮断する一方、伸張回路１０９からＤ／Ａ変換回路１１０への信号伝送路を形成する場合、カメラ１０１からＤ／Ａ変換回路１１０への信号伝送路を遮断するように切り替えられるものであり、第１、第２の各切替接点Ｐ1、Ｐ2および共通（コモン）接点Ｐ3により構成されている。
【００８３】
また、切替スイッチ１１４を構成する第１、第２の各切替接点Ｐ1、Ｐ2のうち、第１の切替接点Ｐ1は、カメラ１０１にて撮像された画像をインターホン親機２の親機モニタ２０３および／または増設インターホン親機３の増設モニタ３０３に直接出画する場合にのみ子機ＣＰＵ１０４の切替制御によりメイク状態となり、カメラ１０１から当該第１の切替接点、共通接点Ｐ3を経由してＤ／Ａ変換回路１１０への信号伝送路を形成するための当該接点である。一方、第２の切替接点Ｐ2は、画像蓄積メモリ１０８から読み出されたデジタル画像信号を信号処理し、インターホン親機２の親機モニタ２０３および／または増設インターホン親機３の増設モニタ３０３に出画する場合にのみ子機ＣＰＵ１０４の切替制御によりメイク状態となり、伸張回路１０９から当該第２の切替接点、共通接点Ｐ3を経由してＤ／Ａ変換回路１１０への信号伝送路を形成するための当該接点である。
【００８４】
このように構成された本発明の第２の実施例によるインターホンシステムにおいて、以下、具体的な動作について説明する。
【００８５】
前述の第１の実施例と同様な待受状態において、図３に示すドアホン子機１ｂの切替スイッチ１１４は、第１の切替接点Ｐ1がメイク状態、第２の切替接点Ｐ2がブレイク状態であることから、カメラ１０１からメイク状態である第１の切替接点Ｐ1、共通接点Ｐ3を経由してＤ／Ａ変換回路１１０への信号伝送路が形成されている一方、伸張回路１０９からＤ／Ａ変換回路１１０への信号伝送路は遮断されている。
【００８６】
このような待受状態において、来訪者が居住者を呼び出すために、図１に示すドアホン子機１ｂの呼出ボタン１００を操作すると、この操作を検出した図３に示す（ドアホン子機１ｂの）子機ＣＰＵ１０４は呼出信号を生成する。この呼出信号は、前述の第１の実施例と同様、インターホン親機２の親機ＣＰＵ２０６および増設インターホン親機３の増設ＣＰＵ３０６へとそれぞれ伝送される。
【００８７】
なお、ドアホン子機１ｂの子機ＣＰＵ１０４からの呼出信号を検出したインターホン親機２の親機ＣＰＵ２０６の呼出報知制御および電源供給制御と、増設インターホン親機３の増設ＣＰＵ３０６の呼出報知制御とは、前述の第１の実施例とそれぞれ同様であることから説明は省略する。
【００８８】
ドアホン子機１ｂの子機電源回路１０５は、インターホン親機２の親機電源回路２０６からの給電を受電し、受電された直流電源を当該ドアホン子機の動作電源として構成各部／回路へとそれぞれ供給することにより、カメラ１０１、Ｄ／Ａ変換回路１１０および変調回路１１１がそれぞれ能動となる。また、カメラ１０１は、呼出操作を行った来訪者や屋外の周囲近傍の画像を撮像する。この画像は、デジタル画像信号に信号処理された後、待受状態よりメイク状態が保持されている切替スイッチ１１４を構成する第１の切替接点Ｐ1、共通接点Ｐ3を経由してＤ／Ａ変換回路１１０へと伝送される。
【００８９】
ドアホン子機１ｂのＤ／Ａ変換回路１１０は、カメラ１０１からのデジタル画像信号をＤ／Ａ変換した後、変調回路１１１に出力する。また、変調回路１１１は、Ｄ／Ａ変換回路１１０を経由してＤ／Ａ変換されたアナログ画像信号をアナログ画像変調信号にＦＭ変調する。このアナログ画像変調信号は、前述の第１の実施例と同様、インターホン親機２の親機復調回路２０９および増設インターホン親機３の増設復調回路３０９へとそれぞれ伝送される。
【００９０】
インターホン親機２の親機復調回路２０９は、ドアホン子機１ｂの変調回路１１１からのアナログ画像変調信号を復調して親機モニタ２０３に出力することにより、ドアホン子機１ｂのカメラ１０１にて撮像された画像、すなわち、呼出操作を行った来訪者や屋外の周囲近傍の画像を、親機モニタ２０３に（リアルタイムで）出画させることができる。
【００９１】
また、増設インターホン親機３の増設復調回路３０９は、ドアホン子機１ｂの変調回路１１１からのアナログ画像変調信号を復調して増設モニタ３０３に出力することにより、ドアホン子機１ｂのカメラ１０１にて撮像された画像、すなわち、呼出操作を行った来訪者や玄関先の周囲近傍の画像を、増設モニタ３０３に（リアルタイムで）出画させることができる。
【００９２】
なお、インターホン親機の親機モニタ２０３および増設インターホン親機３の増設モニタ３０３には、親機ＣＰＵ２０６および増設ＣＰＵ３０６の制御により、前述の第１の実施例と同様、来訪者からの呼び出しがある旨の文字メッセージや絵データ等をそれぞれ表示させることもできる。
【００９３】
また、インターホン親機２および増設インターホン親機３のうち（少なくとも）何れか一方の当該スピーカからの出力と当該モニタの出画をもとに、来訪者からの呼び出しがあることを当該来訪者の識別と併せて確認した居住者が、応答操作として、インターホン親機２の親機通話ボタン２０２および増設インターホン親機３の増設通話ボタン３０２のうち一方の当該通話ボタンを操作して通話を成立させる動作は、前述の第１の実施例と同様であることから、その説明は省略する。
【００９４】
さらに、前述の呼出報知を確認した居住者がインターホン親機２および増設インターホン親機３のうち一方の当該親機にて所定の威嚇操作（詳述せず）を行った場合の動作についても、前述の第１の実施例と同様であることから、その説明は省略する。
【００９５】
次に、来訪者が使用するドアホン子機１ｂの子機マイク１０２および子機スピーカ１０３と、居住者が使用するインターホン親機２の親機スピーカ２００および親機マイク２０１との間で通話が成立している場合、或いは、当該インターホンシステムが待受状態において、前述の第１の実施例と同様、居住者が親機録画／録音ボタン２０４を操作すると、この操作を検出した親機ＣＰＵ２０６は、ドアホン子機１ｂのカメラ１０１にて継続して撮像されている画像の画像蓄積メモリ１０８への録画／保存を開始するとともに、子機マイク１０２に継続して入力されている音声（送話音声）の音声蓄積メモリ１１２への録音／保存を開始するための録画／録音起動信号を生成する。この録画／録音起動信号は、前述の第１の実施例と同様、ドアホン子機１ｂの子機ＣＰＵ１０４へと伝送される。
【００９６】
ドアホン子機１ｂの子機ＣＰＵ１０４は、インターホン親機２の親機ＣＰＵ２０６からの録画／録音起動信号を検出すると、前述の第１の実施例と同様、圧縮回路１０７および画像蓄積メモリ１０８をそれぞれ制御し、圧縮回路１０７を経由して圧縮されたデジタル画像信号を画像蓄積メモリ１０８に録画／保存させるとともに、子機通話回路１０６を制御し、当該子機通話回路を経由して信号処理された音声信号を音声蓄積メモリ１１２に録音／保存させることができる。
【００９７】
なお、前述のように録画／録音可能な設定が予め行われている状態において、来訪者が居住者を呼び出すために、ドアホン子機１ｂの呼出ボタン１００を操作した場合の動作は、前述の第１の実施例と同様であることから、その説明は省略する。
【００９８】
次に、ドアホン子機１ｂの画像蓄積メモリ１０８にデジタル圧縮画像信号が録画／保存されているとともに、音声蓄積メモリ１１２にデジタル音声信号が録音／保存されている場合において、居住者が行う再生操作としては、インターホン親機２の親機再生ボタン２０５および増設インターホン親機３の増設再生ボタン３０５のうち一方の当該再生ボタンを操作する。ここでは、前述の第１の実施例と同様、親機再生ボタン２０５を操作すると、この操作を検出した親機ＣＰＵ２０６は、親機モニタ２０３および親機復調回路２０９をそれぞれ能動とするとともに、親機通話回路２０８を制御して親機Ｉ／Ｆ２１０から親機スピーカ２００への信号伝送路を形成し、さらに、再生起動信号を生成する。この再生起動信号は、前述の第１の実施例と同様、ドアホン子機１ｂの子機ＣＰＵ１０４へと伝送される。
【００９９】
ドアホン子機１ｂの子機ＣＰＵ１０４は、インターホン親機２の親機ＣＰＵ２０６からの再生起動信号を検出すると、録画画像および録画音声の再生制御を行う。具体的に録画画像の再生制御を行うにあたって、子機ＣＰＵ１０４は、画像蓄積メモリ１０８、伸張回路１０９、Ｄ／Ａ変換回路１１０および変調回路１１１がそれぞれ能動となるように制御するとともに、切替スイッチ１１４を構成する第１の切替接点Ｐ1がブレイク状態、第２の切替接点Ｐ2がメイク状態となるように切替制御を行い、伸張回路１０９からメイク状態である第２の切替接点Ｐ2、共通接点Ｐ3を経由してＤ／Ａ変換回路１１０への信号伝送路を形成させる一方、カメラ１０１からＤ／Ａ変換回路１１０への信号伝送路は遮断する。また、子機ＣＰＵ１０４の制御により画像蓄積メモリ１０８から読み出されたデジタル圧縮画像信号は、伸張回路１０９を経由して伸張された後、切替スイッチ１１４を構成するメイク状態である第２の切替接点Ｐ2、共通接点Ｐ3を経由し、前述の呼出時におけるデジタル画像信号と同様な信号処理でインターホン親機２の親機モニタ２０３へと伝送されることから、画像蓄積メモリ１０８に録画／保存されていた画像を親機モニタ２０３に出画（再生）することができる。
【０１００】
一方、具体的に録音音声の再生制御を行うにあたっては、前述の第１の実施例と同様であることから、その説明は省略する。
【０１０１】
また、前述の説明では、居住者が行う再生操作として、インターホン親機２の親機再生ボタン２０５を適用したが、他方の当該再生ボタンである増設インターホン親機３の増設再生ボタン３０５が操作された場合には、ドアホン子機１ｂの画像蓄積メモリ１０８に録画／保存されていた画像を増設モニタ３０３に出画（再生）することができるばかりでなく、音声蓄積メモリ１１２に録音／保存されていた音声を増設スピーカ３００から出力（再生）することができる。
【０１０２】
なお、本発明の第１、第２の各実施例によるインターホンシステムにおいては、その構成および動作の説明から明らかなように、ドアホン子機１ａ、１ｂのカメラ１０１にて撮像された画像の録画処理機能および子機マイク１０２に入力された音声の録音処理機能は、当該ドアホン子機のみに備えられており、増設インターホン親機２および増設インターホン親機３には不要であることから、当該増設インターホン親機および増設インターホン親機の構成を簡素化できる。
【０１０３】
また、本発明の第１、第２の各実施例によるインターホンシステムにおいては、インターホン親機２の親機ＣＰＵ２０６および増設インターホン親機３の増設ＣＰＵ３０６うち一方の当該ＣＰＵからの制御信号を検出したドアホン子機１ａ、１ｂの子機ＣＰＵ１０４の制御により音声蓄積メモリ１１２から読み出されるメッセージとして、威嚇のための警報メッセージ（警報音を含む。）を適用したが、このメッセージに限定されるものではない。例えば、ドアホン子機１ａ、１ｂからの呼び出しを検出して所定の呼出報知制御を行った親機ＣＰＵ２０６および増設ＣＰＵ３０６のうち（少なくとも）一方の当該ＣＰＵからの制御信号を検出した子機ＣＰＵ１０４の制御により、音声蓄積メモリ１１２から呼出確認メッセージ（呼出確認音を含む。）を読み出すこともできる。この呼出確認メッセージ（呼出確認音を含む。）は、前述の警報メッセージ（警報音を含む。）と同様、子機スピーカ１０３から出力（再生）されることにより、来訪者による呼び出しが正常に報知されたことを当該来訪者に聴覚を通じて確認させることもできる。
【０１０４】
また、本発明の第１、第２の各実施例によるインターホンシステムにおいては、インターホン親機２に設けられる親機通話ボタン２０２、親機録画／録音ボタン２０４および親機再生ボタン２０５と、増設インターホン親機３に設けられる増設通話ボタン３０２、増設録画／録音ボタン３０４および増設再生ボタン３０５とを、それぞれの機器で別体の当該ボタンで構成したが、この構成に限定されるものではない。例えば、前述の各種の作用を有する複数のボタンをタッチパネルに備えた当該インターホン親機および増設インターホン親機も好適とされる。
【０１０５】
また、本発明の第１、第２の各実施例によるインターホンシステムにおいて、居住者により行われる録画／録音のための操作は、インターホン親機２の親機録画／録音ボタン２０４および増設インターホン親機３の増設録画／録音ボタン３０４のように単一の当該ボタンで構成したが、この構成に限定されるものではない。例えば、録音のために操作されるボタンと録音のために操作されるボタンのように別体の当該ボタンとして設けることもできる。
【０１０６】
また、本発明の第１、第２の各実施例によるインターホンシステムにおいて、居住者により行われる再生のための操作は、インターホン親機２の親機再生ボタン２０５および増設インターホン親機３の増設再生ボタン３０５のように単一の当該ボタンで構成したが、この構成に限定されるものではない。例えば、録画画像を出画（再生）するために操作されるボタンと録音音声を出力（再生）するために操作されるボタンのように別体の当該ボタンとして設けることもできる。
【０１０７】
さらに、本発明のインターホンシステムにおいては、図１、図２および図３にそれぞれ示した特定の実施の形態をもって説明してきたが、この形態に限定されるものでなく、本発明の効果を奏する限り、これまで知られた如何なる構成であっても採用できるということはいうまでもないことである。
【図面の簡単な説明】
【０１０８】
【図１】本発明の第１、第２の各実施例によるインターホンシステムの全体構成（外観構成）を示すシステム説明図。
【図２】本発明の第１の実施例によるインターホンシステムの具体的な構成を示すブロック図。
【図３】本発明の第２の実施例によるインターホンシステムの具体的な構成を示すブロック図。
【符号の説明】
【０１０９】
１ａ、１ｂ……ドアホン子機
１０１……カメラ
１０２……子機マイク
１０３……子機スピーカ
１０４……子機ＣＰＵ
１０７……圧縮回路
１０８……画像蓄積メモリ
１０９……伸張回路
１１０……Ｄ／Ａ変換回路
１１２……音声蓄積メモリ
１１４……切替スイッチ
２……インターホン親機
２０３……親機モニタ（モニタ）
３……増設インターホン親機
３０３……増設モニタ（モニタ）
【図１】
2007060499.tif 000003
【図２】
2007060499.tif 000004
【図３】
2007060499.tif 000005